(57)【特許請求の範囲】
【請求項１】
セルラ電話機（２１）であって、スピーカ（４０）、マイクロフォン（４２）、セルラ電話機（２１）とそのセルラ電話機（２１）に対して通信要求を行っている発信元電話機（３３）との間に、セルラ電話機（２１）の前記スピーカ（４０）と前記マイクロフォン（４２）とをオープンしないで発信元電話機（３３）とセルラ電話機（２１）との間の音声通信を防止する状態で、音声チャンネルを開設するための音声チャンネル設立装置（４７）、および前記音声チャンネル設立装置（４７）に応答して、変調データをオープンされた音声チャンネル経由で発信元電話機（３３）から、セルラ電話機（２１）の前記スピーカ（４０）と前記マイクロフォン（４２）とをオープンすることなく受信するためのデータ受信装置（４９）とを含む前記セルラ電話機（２１）に於いて；
前記データ受信装置（４９）に応答して、セルラ電話機（２１）の前記スピーカ（４０）と前記マイクロフォン（４２）とをオープンすることなく受信データを処理するための復調装置（５０）と；
発信元電話機の識別子を受信した後に代替端末識別子の使用者入力を受け付けるための使用者入力装置（５４）であって、前記代替端末識別子は前記セルラ電話機（２１）以外の代替端末を識別する、前記使用者入力装置（５４）と；
前記復調装置（５０）と前記使用者入力装置（５４）とに応答して、前記セルラ電話機（２１）の使用者が、前記スピーカ（４０）及び前記マイクロフォン（４２）をオープンすることなくまた発信元電話機（３３）との間の音声通信を設立すること無く、発信元電話機（３３）の識別子に基づき前記セルラ電話機以外の代替末端を選択することが許されるように、前記代替端末との間にオープンされた音声チャンネル経由で信号を送信し、前記代替端末に通信要求を送信する、音声通信ルーティング装置（５５）を持つことを特徴とする前記セルラ電話機（２１）。
【請求項２】
請求項第１項記載のセルラ電話機（２１）に於いて更に、前記復調装置（５０）に応答して前記スピーカ（４０）並びに前記マイクロフォン（４２）とをオープンし、それによって音声通信を発信元電話機（３３）とセルラ電話機（２１）との間に設立することを、予め定められた信号をセルラ電話機（２１）の使用者から受信した場合にのみ実行する、音声通信設立装置（５１）を含む前記セルラ電話機（２１）。
【請求項３】
請求項第１項記載のセルラ電話機（２１）に於て更に：
前記変調装置（５０）に応答して、発信元電話機（３３）がセルラ電話機（２１）との間の音声通信を要求したか否かの判断を行うためのデータ処理装置（５３）と；そして
前記データ処理装置（５３）に応答して、セルラ電話機（２１）の使用者に発信元電話機との音声通信を設立することなくその発信元電話機（３３）がそのセルラ電話機（２１）との音声通信要求を行っていることを通知するための警報装置（６７）とを含む、前記セルラ電話機（２１）。
【請求項４】
請求項第３項記載のセルラ電話機に於て更に、前記復調装置（５０）に関連しセルラ電話機（２１）が音声チャンネルオープン後予め定められた時間内に発信元電話機（３３）からデータを受信したかを判定し、もしも予め定められた時間内にデータが受信されていない場合は前記警報装置（６７）に対してセルラ電話機（２１）の使用者に発信元電話機（３３）が音声通信を要求している旨の通知を行うようにプロンプトを送るためのタイマ装置（５８）を含む、前記セルラ電話機。
【請求項５】
請求項第１項記載のセルラ電話機（２１）に於て更に、前記復調装置（５０）で処理されたデータに基づき情報を表示するための表示装置（５２）を含み、ここでその表示される情報が発信元電話機（３３）の識別子を含む、前記セルラ電話機（２１）。
【請求項６】
請求項第１項記載のセルラ電話機（２１）に於て更に、前記復調装置（５０）で処理されたデータに基づき情報を表示するための表示装置（５２）を含み、ここでその表示される情報が発信元電話機（３３）から送信されたメッセージを含む、前記セルラ電話機（２１）。
【請求項７】
請求項第１項記載のセルラ電話機（２１）に於て更に、前記復調装置（５０）に応答して予め定められた信号を発信元電話機（３３）から受信した時点で音声チャンネルを閉じるための装置（５９）を含む、前記セルラ電話機（２１）。
【請求項８】
請求項第１項記載のセルラ電話機（２１）に於て、セルラ電話機（２１）がディジタル式セルラ無線ネットワークと通信するように適合されており、セルラ電話機（２１）が更にディジタル制御チャンネルをセルラ電話機（２１）と発信元電話機（３３）との間にセルラ電話機（２１）のスピーカ（４０）並びにマイクロフォン（４２）をオープンすることなく開設するための、ディジタル制御チャンネル設立装置（６５）を含む、前記セルラ電話機（２１）。
【請求項９】
セルラ電話機（２１）とそのセルラ電話機（２１）と通信要求を行う発信元電話機（３３）との間に音声通信を設立することなくデータ送信を行うための方法であって：
セルラ電話機（２１）と発信元電話機（３３）との間にセルラ電話機（２１）のスピーカ（４０）とマイクロフォン（４２）とをオープンせず、これらの間の音声通信が防止されるようにして音声チャンネルを開設し；
発信元電話機（３３）からセルラ電話機（２１）に、セルラ電話機（２１）のスピーカ（４０）とマイクロフォン（４２）とをオープンすることなくオープンされた音声チャンネル経由で変調データを送信し；
送信されたデータをセルラ電話機（２１）のスピーカ（４０）とマイクロフォン（４２）をオープンすることなく処理し、発信元電話機（３３）がセルラ電話機との音声通信を要求しているか否かの判断処理を行い；
変調データ受信後、代替端末識別子の使用者入力を受け付け、ここで前記代替端末識別子はセルラ電話機（２１）以外の代替端末を識別し；
前記判断処理並びに受け付け手順の後でオープンされた音声チャンネル経由で信号を送信し、ここでこれらの信号は前記代替端末を表すものであり；そして
セルラ電話機の使用者が発信元電話機の識別子に基づき前記スピーカ（４０）及び前記マイクロフォン（４２）をオープンすることなく、また発信元電話機（３３）との間の音声通信を設立すること無く前記代替端末を選択することが可能な様に、通信要求を前記代替端末に送信する、
手順を含む前記方法。
【請求項１０】
請求項第９項記載のセルラ電話機（２１）と発信元電話機（３３）との間にデータ送信を行うための方法に於いて、前記判断処理手順に続いてセルラ電話機の使用者から予め定められた信号を受信した場合にのみ、セルラ電話機（２１）のスピーカ（４０）とマイクロフォン（４２）とをオープンしそれによって発信元電話機（３３）とセルラ電話機（２１）との間の音声通信を設立する手順を含む、前記方法。
【請求項１１】
請求項第９項記載のセルラ電話機（２１）と発信元電話機（３３）との間にデータ送信を行うための方法が更に、前記判断処理手順の後にセルラ電話機（２１）の使用者に対して、発信元電話機（３３）が音声通信要求を行っている旨、発信元電話機（３３）との音声通信を設立することなく警報を発する手順を含む、前記方法。
【請求項１２】
請求項第９項記載のセルラ電話機（２１）と発信元電話機（３３）との間にデータ送信を行うための方法に於いて、前記判断処理手順がセルラ電話機（２１）が発信元電話機（３３）からのデータを予め定められた時間内に受信したかを判定する手順を含み；前記方法が更にもしもデータが予め定められた時間内に受信されなかった場合は、セルラ電話機（２１）の使用者に対して発信元電話機が音声通信要求を行っている旨、セルラ電話機（２１）のスピーカ（４０）とマイクロフォン（４２）とをオープンすることなく警報を発する手順を含む、前記方法。
【請求項１３】
請求項第９項記載のセルラ電話機（２１）と発信元電話機（３３）との間にデータ送信を行うための方法に於いて更に、前記判断処理手順の後にセルラ電話機（２１）が受信したデータを表示するための手順を含み、ここで表示データが発信元電話機（３３）の識別子を含む、前記方法。
【請求項１４】
請求項第９項記載のセルラ電話機（２１）と発信元電話機（３３）との間にデータ送信を行うための方法に於いて更に、前記判断処理手順の後にセルラ電話機（２１）が受信したデータを表示するための手順を含み、ここで表示データが発信元電話機（３３）から送信されたメッセージを含む、前記方法。
【発明の詳細な説明】
産業上の利用分野
本発明は一般的にセルラ無線通信に関する。
従来の技術
セルラ無線通信システムは通常は音声並びにデータ通信を複数の移動体電話機または加入者に提供するために採用されている。アナログ式セルラシステム例えば、ＡＭＰＳ，ＴＡＣＳ，Ｅ−ＴＡＣＳそしてＮＭＴ等は世界的に開発されて成功している。更に最近では、ディジタル式セルラシステム、例えば北米でＩＳ５４Ｂと呼ばれているもの並びに汎ヨーロッパＧＳＭシステム同様にＰＤＣ並びにＤＥＣＴシステムが導入されてきている。これらのシステム及びその他が、例えば、セルラ無線システムという名称で、バルストンその他著、アーテック・ハウス、ノーウッド、ＭＡから１９９３年に発行された本の中に記述されている。
セルラ無線通信システムは一般的にひとつまたは複数の局またはユニット、典型的にはセルラ電話機と呼ばれるもの、ひとつまたは複数の基地局そしてひとつの移動体電話交換局とを含む。典型的なセルラ無線通信システムは数百の基地局、数千のセルラ電話機そして複数の移動体電話交換局を含む。移動体電話交換局並びにこれに関連する複数の基地局とで一般的にセルラ無線ネットワークが定義される。
セルラ無線ネットワークは典型的にいくつかのセルに分割され、これはひとつの基地局と、この基地局と通信を行う複数のセルラ電話機とを含む。各々のセルにはひとつまたは複数の音声チャンネルが割り当てられており、もしもセルラ無線ネットワークがディジタル方式の場合は、ひとつまたは複数の専用ディジタル制御チャンネルが割り当てられている。例えばＧＳＭディジタルセル無線ネットワークの典型的なセルは、ひとつのディジタル制御チャンネルと２１の音声／データまたはトラヒックチャンネルとを有する。ディジタル制御チャンネルはセル識別子及びページング情報を伝送するための専用チャンネルであり、一方音声チャンネルは音声並びにデータ情報を搬送する。”チャンネル”とはアナログシステムでは特定の搬送波周波数を、またＩＳ−５４ＢまたはＧＳＭの様な混合ＴＤＭＡ／ＦＤＭＡシステムでは特定の搬送／スロットの組み合わせを言う事に注意されたい。
移動体電話交換局はセルラ無線ネットワーク全体の中心となる調整要素である。典型的に移動体電話交換局はセルラプロセッサ及びセルラ交換機を含み、これは関連する公衆交換式電話機ネットワークとのインタフェースを提供する。移動体電話交換局はまた本拠地レジスタを含む場合もある。この本拠地レジスタはそのセルラシステムの加入者に関するデータを格納するためのメモリ装置を含む。このデータは加入者の位置とまた同様に加入者が要求する多くの特別なサービス、例えば呼待ちまたは呼保持等を含む。
セルラ無線ネットワークの各々の基地局は一般的に制御ユニット並びにアンテナ塔とを含む。制御ユニットは無線制御グループ、交換機無線インタフェース、交流送電網からの電力を基地局内の個別の機器への電力に変換するための一次電力供給装置、及びバックアップ電力供給装置を含む電子機器から構成されている。基地局電子機器制御ユニットの交換機無線インタフェースは移動体電話交換局と基地局との間の信号を提供する。例えば、交換機無線インタフェースは無線チャンネルグループからのデータを受信し、そのデータを専用通信リンクを経由して電話機交換局へのデータに転換する。逆方向では、交換機無線インタフェースは移動体電話交換局から無線チャンネルグループへのデータを受信し、その後セルラ電話機へ送信する。
無線制御グループは無線通信を行うために必要な電子機器を含む。無線制御グループは典型的に、各々の音声並びに制御チャンネル用のひとつの送信／受信モジュールと、同様にひとつの強度受信器とを含む。各々の送信／受信モジュールは送信機、受信機そして制御ユニットを含む。送信／受信モジュールは典型的には周波数に敏捷に追従するものではなくて、その代わりに唯ひとつの予め定められたチャンネルでのみ動作する。交換機無線インタフェースからの制御信号は送信／受信モジュールの個別の制御ユニットで受信される。加えて、送信／受信モジュールからの音声並びにデータトラヒック信号は別々のインタフェースを経由して交換機無線インタフェースにルーティングされる。
その後、制御並びに音声信号用の各々個別の送信機が送信結合機に接続される。送信結合機はすべての入力信号を同軸ケーブルを介して送信アンテナに接続されている信号出力に結合する。受信側では二本の受信アンテナの各々が典型的にはそれぞれの受信結合機に接続されていて、ここで受信された信号は周波数に基づいて分離され各々の送信／受信モジュールの個別の受信機に送られる。
基地局はセルラ電話機との通信を取り扱う。この中で、基地局は主としてデータ及び音声信号の中継局として機能する。基地局はまた通信リンクの品質を監督し、セルラ電話機からの信号を監視または受信する。典型的な基地局は、ＧＳＭディジタルセルラシステム用の、スウェーデン、ストックルムのエリクソン・テレコムＡＢ製のモデルＮｏ．ＲＢＳ８８２である。このアナログ式セルラネットワークに関する完全な説明はエリクソン・テレコムＡＢ発行の出版物Ｎｏ．ＥＮ／ＬＺＴ１０１  ９０８  Ｒ２Ｂに記載されている。
セルラ無線ネットワークを通して、二重無線通信信号がふたつのセルラ電話機の間で、またはセルラ電話機と地上線電話機との間に設立される。特にひとつの通信信号がセルラ無線通信システムによって、ふたつのセルラ電話機の間に音声チャンネルを介して設立され、この音声チャンネルはふたつのセルラ電話機とそのセルラ無線ネットワークとの間に設立される。音声チャンネルが設立された時点でセルラ電話機のマイクロフォン並びにスピーカが音声通信を設立するためにオープンまたは活性化される。これとは別に通信信号がセルラ電話機と地上線電話機との間に、セルラ電話機、セルラ無線ネットワーク並びに公衆交換機電話ネットワークに関連する電話機、例えば地上線電話機との間の音声チャンネルを経由して設立される。
特徴ノードがまたセルラ無線通信システムの移動体電話交換局または、その他の通信ネットワーク、例えば公衆交換機電話ネットワークと関連づけられている。例えば、特徴ノードは移動体電話交換局の本拠地レジスタの中に組み込まれているか、そうでなければ関連づけられている。たとえ特徴ノードが別の通信ネットワーク、例えば公衆交換機電話ネットワークと関連づけられていたとしても、このセルラ無線ネットワークはその特徴ノードに対してセルラ無線ネットワークの移動体電話交換局と別の通信ネットワークとの間の相互接続を介してアクセスできるはずである。
この特徴ノードは予め定めらた機能を、例えば公衆交換電話ネットワークの様なこの特徴ノードが関連づけられている通信ネットワークに接続されたセルラ電話機または電話機に提供する。この予め定められた機能としては、例えば効果的な通信リンクを電話機間で中間基地局を経由して設立することや、または音声制御会話情報並びに番号翻訳サービスの提供、同様に電話会議を容易に設立できるようにする事である。更に特徴ノードはセルラ電話機の使用者に対してページングサービスを提供する事も可能であり、一次通信リンクが使用できない場合の代替通信リンクを容易に設立する事ができる。例えば特徴ノードの更に詳細な説明が、米国特許明細書通し番号第０１８，２６８号、名称”機能協調の設立方法”および米国特許明細書通し番号第０１８，２２３号、名称”組織化通信の方法”の中になされており、これらは共に１９９３年２月１６日に登録されまた共に本出願の中で参考として取り入れられている。
発信元電話機、例えばセルラ電話機または地上線電話機がセルラ無線通信システムのセルラ電話機との通信要求を行う際に、発信元電話機と要求を受けた電話機とは一般的に予め定められたハンドシェイクまたは確認処理手順を実行する。発信元電話機と要求を受けたセルラ電話機との間のハンドシェイク処理手順はセルラ無線ネットワークによって支援され、これは発信元電話機及びセルラ電話機の両方と個別に通信を行う。ハンドシェイク処理手順は伝統的なものであり、当業者には良く知られているので詳細には説明しない。
予め定められたハンドシェイク処理手順に従って、予め定義された信号がセルラ電話機と発信元電話機との間で交換される。例えばハンドシェイク処理手順は典型的に要求を受けたセルラ電話機が活きているか、すなわちそのセルラ電話機の電源が”オン”であるか否かを判別する。加えて、発信元電話機の使用者は一般的にハンドシェイク処理手順を介してそのセルラ電話機が既に使用中であるか否かを、例えば話し中信号の様な可聴信号として通知される。しかしながら音声チャンネルは発信元電話機とセルラ電話機との間に、ハンドシェイク処理手順の期間中は設立されない。
もしもセルラ電話機が活かされていて既に使用されてもいない場合は、このセルラ電話機は使用者に対して、例えばセルラ電話機が発する可聴ベルまたはブザー音によって通信要求が待ち状態であることを通知する警報を行う。通信が待ち状態である事の警報が発せられると、セルラ電話機の使用者はもしもその近くに居る場合はセルラ電話機の受話器を持ち上げてそのセルラ電話機に応答する事で要求された通信を受けるか、またはその警報信号を無視するかのいずれかである。
その要求を受けたセルラ電話機の使用者が通信要求に答える場合は、音声チャンネルが発信元電話機とセルラ電話機との間に開設される。セルラ電話機のスピーカ並びにマイクロフォンもまた開設または活かされる。この様にして音声チャンネルがセルラ電話機と発信元電話機との間で可能化または設立されるが、これはセルラ電話機の使用者が通信要求に応答しまた音声チャンネルが発信元電話機との間に開設される毎に行われる。
例えば発信元電話機の使用者がセルラ電話機に対してデータまたはメッセージのみを送信したいと思った場合でも、アナログセルラ無線ネットワークの従来型セルラ電話機のスピーカならびにマイクロフォンは、そのセルラ電話機の使用者がその通信要求に応答した時に開設されてしまうであろう。この様な場合には、音声チャンネルが発信元電話機と従来型セルラ電話機との間に設立される必要は無い。セルラ電話機の使用者が多くの場合別の重要な作業、例えば自動車の運転中であったりまたは別の人と会話中であるといった作業中に、通話要求の待ち状態を通知する警報信号が発せられる場合がある。従って、使用者がセルラ電話機の発する警報に、例えば通信要求に答えたり要求発信元電話機の使用者と会話をする事で応答する事は、その使用者の現在の作業に大きな混乱を与える事になる。従ってセルラ電話機の使用者は一般的に通信要求の中の優先順位の高いものに対してのみ応答し、残りのより優先順位の低い通信要求に対しては直ちに応答しないようにしたいと望んでいる。
セルラ電話機の使用者は一般的には発信元電話機の識別子、例えば発信元電話機に割り当てられている電話番号または名称をその要求に応答して発信元電話機との音声通信を開始するまで知る事はできない。従ってセルラ電話機の警報に応答する事無くして、セルラ電話機の使用者がその要求が比較的高い優先順位で彼らが応答したいと望むものか、またはその要求が比較的低い優先順位で彼らがその時点では応答したくないものであるかを判別する事はできない。
セルラ基地局から移動体局へ”情報付き警報”として送信される入力呼に、選択的に応答するための装置がＰＣＴアプリケーションとして題名”セルラ電話基地局から送信された警報への使用者選択可能応答”（国際発刊番号ＷＯ９３／２６１３２）で議論されている。ＩＤ処理装置が移動体局の使用者によって選択された識別データを格納するようにプログラムされ、これは”情報付き警報”メッセージの中に含まれ、呼相手を識別するために使用される。この処理装置はまた使用者によって予め定められた応答類型を選択し、また個別の呼相手に対してそれらの応答類型の希望するひとつを割り当てるようにもプログラムされる。
通信要求に応答したりまたは無視する代わりに、要求を受けたセルラ電話機の使用者が、時には要求を転送する場合がある。その要求を転送する事により通信リンクまたは音声チャンネルが要求発信元電話機と別の電話機または自動応答装置、例えば応答機械や自動音声メールシステムとの間に設立される。しかしながら要求を受けたセルラ電話機の使用者に発信元電話機の識別子は提供されるものではない。従って使用者はまず最初に彼らの現在の活動を中断して、その要求を転送するに先立って例えばセルラ電話機に答えることでその要求に応答しなければならない。そのためセルラ電話機の使用者は現在のところ発信元電話機の識別子に基づいて、通信要求を受け入れるか、拒否するかまたは転送するかを選択的に決定したり、またもしも転送する場合でもその通信要求をどの電話機に転送するかまたは自動応答装置に転送すべきかを決定することは出来ない。
発明の目的と要約
従って先に述べた背景に鑑み、本発明の目的は改善されたセルフ電話機を提供することである。
本発明の目的はまた、改善されたセルラ電話機並びに通信をルーティングするための関連する方法を提供することである。
本発明のこれら及びその他の目的並びに、特長及び特徴はひとつのスピーカ、ひとつのマイクロフォン、音声チャンネル設立装置そしてデータ受信装置を含むセルラ電話機により提供される。音声チャンネル設立装置はセルラ電話機とそのセルラ電話機と通信要求を行う発信元電話機との間に、セルラ電話機のスピーカとマイクロフォンとをオープンせず、発信元電話機とセルラ電話機との間の音声通信を防止するようにして、音声チャンネルを開設する。データ受信装置は音声チャンネル設立装置に応答して、変調データをオープンされた音声チャンネル経由で発信元電話機からセルラ電話機のスピーカ及びマイクロフォンをオープンすることなく受信する。
このセルラ電話機は復調装置、使用者入力装置、そして音声通信ルーティング装置を特徴とする。復調装置はデータ受信装置に応答して受信データをセルラ電話機のスピーカ並びにマイクロフォンをオープンすることなく処理する。使用者入力装置は発信元電話機の識別子を受信した後、代替端末識別子を使用者から入力され、ここでこの代替端末識別子はセルラ電話機以外の代わりの端末を識別する。音声通信ルーティング装置は復調装置と使用者入力装置とに応答して、発信元電話機によって設立されるべき代替音声チャンネルで、セルラ電話機の使用者が発信元電話機の識別子に基づき前記スピーカ及び前記マイクロフォンをオープンすることなく、また発信元電話機との間の音声通信を設立すること無く選択することを許された代替チャンネルを表すオープンされた音声チャンネル経由で信号を送信する。
本発明の別の特徴としては、セルラ電話機とそのセルラ電話機と通信要求を行う発信元電話機との間のデータ送信をその間に音声通信を設立することなく行うための方法が提供されている。音声チャンネルがセルラ電話機と発信元電話機との間に、セルラ電話機のスピーカ並びにマイクロフォンをオープンせず、それらの間の音声通信を設立しないようにして開設される。変調データが発信元電話機からセルラ電話機へオープンされた音声チャンネル経由でセルラ電話機でスピーカ並びにマイクロフォンをオープンすることなく送信される。
送信されたデータはセルラ電話機のスピーカ並びにマイクロフォンをオープンすることなく処理され、発信元電話機がセルラ電話機との音声通信を要求しているか否かが判定される。代替端末識別子の使用者入力は変調データ受信後に受け付けられ、ここで代替端末識別子はセルラ電話機以外の代替端末を識別する。処理及び受付手順の後、信号はオープンされた音声チャンネル経由で送信され、ここでこれらの信号はセルラ電話機以外の代替端末を表す。通信要求がセルラ電話機以外の代替端末に送信され、これはセルラ電話機の使用者がセルラ電話機以外の代替端末を、発信元電話機の識別子に基づいてスピーカ並びにマイクロフォンをオープンすることなくまた発信元電話機との音声通信を設立することなく選択できるようにしている。
特に、セルラ電話機はスピーカ並びにマイクロフォンを有し、そしてセルラ電話機とそのセルラ電話機と通信要求を行う発信元電話機との間にスピーカ並びにマイクロフォンをオープンすることなく音声チャンネルを開設するための音声チャンネル設立装置を含む。従って、音声チャンネルは発信元電話機とセルラ電話機の間ではオープンされるかも知れないが、それらの間の音声通信は防止される。
セルラ電話機はまた遅延スピーカ並びにマイクロフォン接続装置を含み、これは発信元電話機からの変調されたデータをスピーカ並びにマイクロフォンをオープンすることなくまた発信元電話機との間に音声通信を設立することなく受信しかつ処理を行う。遅延スピーカ並びにマイクロフォン接続装置は好適にデータ受信装置を含み、これは変調されたデータを発信元電話機から開設された音声チャンネル経由で受信し、また変調装置をも含みこれは受信されたデータをセルラ電話機のスピーカ並びにマイクロフォンをオープンすることなく処理するためのものである。
本発明のセルラ電話機はまた音声通信設立装置をも含み、これはスピーカ並びにマイクロフォンをオープンする。従って音声通信を発信元電話機とセルラ電話機との間に設立することも可能である。しかしながら、スピーカ並びにマイクロフォンは好適にセルラ電話機の使用者からの予め定められた信号を受信した場合にのみオープンされる。
セルラ電話機はまた音声通信ルーティング（ｒｏｕｔｉｎｇ）装置をも含み、これは発信元電話機との間に設立される別の音声チャンネルを示す、オープンされた音声チャンネルを経由して信号を転送するためのものである。従ってセルラ電話機の使用者はそのセルラ電話機のスピーカ並びにマイクロフォンを開設することなくまた発信元電話機の使用者と音声通信を設立することなく、別の音声チャンネルを選択することが可能である。
本発明に基づくセルラ電話機はまたデータ処理装置をも含むことが可能であり、これは発信元電話機がそのセルラ電話機との間に音声通信を要求しているか否かを判定する。加えてセルラ電話機は警報装置を含み、セルラ電話機の使用者に発信元電話機が音声通信を要求していることを通知させることも可能である。しかしながらセルラ電話機のスピーカ並びにマイクロフォンはその通知過程の間オープンされることはない。
更に加えてセルラ電話機はタイマ装置を含み、セルラ電話機が発信元電話機から開設された音声チャンネルを経由した予め定められた時間内にデータを受信したか否かを判定するようにすることも可能である。もしも予め定められた時間内にデータが受信されなかった場合は、このタイマ装置は警報装置に対して信号を発し、セルラ電話機の使用者に対して発信元電話機が音声チャンネルを要求している旨の通知を促す。
本発明のセルラ電話機はまた表示装置を含み、変調装置で処理されたデータに基づいた情報を表示させることも可能である。表示された情報は発信元電話機の識別子または発信元電話機から送信されたメッセージを含むことが可能である。この情報はセルラ電話機のスピーカ並びにマイクロフォンをオープンすることなく表示される。セルラ電話機はまた発信元電話機との音声チャンネルを発信元電話機からの予め定められた信号を受信した場合に閉じるための装置をも含むことが可能である。
本発明のひとつの実施例に於いて、セルラ電話機はディジタル式セルラ無線ネットワークとの通信に適合している。この実施例の中で、セルラ電話機は更に音声チャンネルに加えてセルラ電話機と発信元電話機との間にディジタル制御チャンネルをオープンするためのディジタル制御チャンネル設立装置を含む。音声チャンネルと同様、ディジタル制御チャンネルはセルラ電話機のスピーカ並びにマイクロフォンをオープンすることなく開設される。
本発明に基づけば音声チャンネルがセルラ電話機と発信元電話機との間にセルラ電話機のスピーカ並びにマイクロフォンをオープンすることなく開設される。従って音声チャンネルは開設されたとしても、音声通信はセルラ電話機と発信元電話機との間に設立されることは無い。従って変調されたデータは開設された音声チャンネルを経由してセルラ電話機に転送される。この変調されたデータは次にセルラ電話機によってスピーカ並びにマイクロフォンをオープンすることなく処理され、発信元電話機がセルラ電話機との間の音声通信を要求しているか否かが判別される。ディジタル式セルラ無線ネットワークのセルラ電話機に関して、このセルラ電話機は変調された送信データを処理するための音声符号化器を含むことが可能である。
変調されたデータは音声通信要求のみならず発信元電話機の識別子またはメッセージをも含む。もしも発信元電話機の識別子が提供されると、セルラ電話機の使用者はその通信要求に答えるか、無視するかまたは転送するかを、発信元電話機との音声通信を設立することなく発信元電話機の識別子に基づいて決定することが出来る。もしもメッセージが提供されると、セルラ電話機は使用者に対するメッセージをスピーカ並びにマイクロフォンをオープンすることなく表示できる。従ってセルラ電話機はセルラページング装置として効果的に機能できる。
従って本発明のセルラ電話機はデータの伝送を、発信元電話機とセルラ電話機との間に開設された音声チャンネルを経由して、セルラ電話機のスピーカ並びにマイクロフォンをオープンすることなくまた発信元電話機とセルラ電話機との間に音声通信を設立することなく可能とする。例えばメッセージまたはファクシミリ伝送はセルラ電話機に開設された音声チャンネル経由で送られる。発信元電話機または発信元電話機使用者の識別子もまたセルラ電話機に伝送される。もしも音声通信が発信元電話機から要求されると、そのセルラ電話機の使用者は発信元電話機の識別子に基づいてその要求を受領するか、無視するかまたは転送するかを選択的に判断できる。
【図面の簡単な説明】
第１図はセルラ無線通信システムの基本概念を図示する、図式的ブロック図。
第２Ａ及び第２Ｂ図は、それぞれ本発明に基づくアナログ式及びディジタル式セルラ電話機の図式的ブロック図。
第３図は本発明のセルラ電話機の遅延スピーカ並びにマイクロフォン接続装置で実行される動作を図示する、図式的ブロック図。
第４図は本発明に基づくセルラ電話機が発信元電話機からの通信要求を受信した際に実行する動作を図示する、詳細な流れ図。
実施例の詳細な説明
これから本発明を添付図を参照しながら更に詳細に説明する、図には本発明の提出された実施例が図示されている。しかしながら本発明は、多くの異なる形式で実施可能であり、ここに提示されている実施例に限定されるものと考えられるべきではない；むしろ、この実施例はこの開示が、徹底的で完全でかつ本発明の範囲の全体を網羅することを当業者に理解されるために提供されている。
次に第１図を参照すると、ここにはセルラ無線通信システム２０が図示されている。セルラ無線通信システム２０は典型的にひとつまたは複数の移動体セルラ電話機２１、ひとつまたは複数の無線基地局２３並びにひとつの移動体電話交換局２５を含む。無線基地局２３及び移動体電話交換局２５で一般的にセルラ無線ネットワークが定められる。セルラ無線ネットワークはアナログ式でもディジタル式であっても良く、領域またはセル３６に分割されている。各々のセル３６はひとつの無線基地局２３を含み、これはそのセル３６内でセルラ電話機２１と通信するように適合されている。
図示されるように、移動体電話交換局２５は典型的にセルラ処理装置２８とセルラ交換機２９とを含む。移動体電話交換局２５のセルラ交換機２９は別の関連する通信ネットワーク３０、例えば関連する公衆交換電話ネットワークとのインタフェースを提供する。関連する通信ネットワーク３０は次に、ひとつまたは複数の電話機、例えば第１図に図示されている地上線電話機３３と接続されている。セルラ無線通信システム２０を通して、二重無線通信信号３２が二台のセルラ電話機２１の間で、またはセルラ電話機２１と地上線電話機３３との間で有効となる。加えて移動体電話交換局２５そして、特にセルラ交換機２９は本拠地レジスタを含み、これはセルラ無線通信ネットワーク２０の各々の加入者の位置並びに要求したサービスに関するデータを格納する。
第１図に示されるように、特徴ノード３４がまたセルラ無線通信システム２０の移動体電話交換局２５に関連づけられている。図示はされていないが、特徴ノード３４はまた関連する通信ネットワーク３０にも関連づけられていて、予め定められた機能を関連する通信ネットワーク３０に接続された端末、例えば地上線電話機３３、そしてセルラ無線ネットワークに接続されたセルラ端末２１の両方に、移動体電話交換局２５と関連する通信ネットワーク３０との間に設立されたインタフェースを経由して提供する。
しかしながら当業者には明らかなように、セルラ無線通信システム２０は本発明のセルラ電話機２１と通信するために特徴ノード３４を含む必要はない。しかしながら本発明のセルラ電話機２１と特徴ノード３４とを連合させることにより、セルラ端末が本発明の方法に基づいてより広い範囲の、本発明の特徴を具備していない発信元電話機を含めて、発信元電話機と通信が可能となるが、それは特徴ノードがセルラ端末を支援するために必要なインテリジェンスまたは信号呼び出しを提供するからである。
特徴ノード３４は第１図には個別のブロックとして図示されているが、特徴ノード３４の全てまたはその一部を実際には移動体電話交換局２５の中に、特に移動体電話交換局２５の本拠地レジスタの中に組み込むことが可能である。加えて図示することが目的で、第１図には特徴ノード３４が単一ブロックとして示されているが、特徴ノード３４を本発明の精神並びに範囲から逸脱することなくセルラ無線通信システム２０の中に分散させることも可能である。例えば、特徴ノード３４の一部を移動体電話交換局２５の本拠地レジスタの中に組み込み、そして特徴ノード３４の残りの部分を移動体電話交換局２５の外側に、しかしこれに関連づけて存在させることも可能である。従って、特徴ノード３４は専用の制御装置、メモリ並びにモデム（アナログの場合）を必要とはしないが、代わりにそのような資源、例えばモデムプール、をセルラ無線通信システム２０のその他の構成要素と共有する。
本発明のセルラ電話機２１はアナログ式またはディジタル式セルラシステムのいずれかと通信するように適合されている。従ってアナログ式セルラ電話機が図式的に第２Ａ図にそしてディジタル式セルラ電話機が図式的に第２Ｂ図に示されている。
いずれの実施例に於いても本発明のセルラ電話機２１は制御装置４５、例えばマイクロプロセッサまたはマイクロ制御装置を含み、セルラ電話機の動作を制御する。セルラ電話機２１はまたスピーカ４０及びマイクロフォン４２を含み、これらはそれぞれ可聴信号を伝送並びに受信して動作するように制御装置４５と接続され、セルラ電話機とその他の電話機との間の音声通信を支援する。
第２Ａ図並びに第２Ｂ図に図式的に示されているように、セルラ電話機２１の制御装置４５は音声チャンネル設立装置４７を含み、これはセルラ電話機とこのセルラ電話機との間に通信を要求している発信元電話機との間に音声チャンネルを開設する。音声チャンネル設立装置４７は発信元電話機との音声チャンネルを、セルラ電話機２１のスピーカ４０並びにマイクロフォン４２をオープンすることなく開設する。従って、発信元電話機とセルラ電話機２１との間に、音声チャンネルがオープンされその間でデータの伝送は行われるものの、その間での音声通信は防止される。
発信元電話機は別のセルラ電話機または地上線電話機３３のいずれかである。加えて、通信要求は典型的には発信元電話機の使用者によってなされる電話呼である。しかしながら通信要求はまたデータ伝送要求、例えばページング装置へ伝送されるメッセージ、ファクシミリ伝送、電子メールメッセージまたはその他の型式の通信である可能性もある。
本発明のセルラ電話機２１の制御装置４５はまた、遅延スピーカ並びにマイクロフォン接続装置４４をも含み、これは音声チャンネル設立装置４７に応答してオープンされた音声チャンネル経由で発信元電話機からの変調されたデータを受信し処理する。遅延スピーカ並びにマイクロフォン接続装置４４による変調されたデータの受信並びに処理もまた、スピーカ４０及びマイクロフォン４２をオープンすることなくまた発信元電話機とセルラ電話機２１の間に音声通信を設立することなく実施される。
第３図に図式的に示されているように、遅延スピーカ並びにマイクロフォン接続装置４４は好適に音声チャンネル設立装置４７に応答するデータ受信装置４９と、データ受信装置に応答する復調装置５０とを含む。第２Ａ図並びに第２Ｂ図に示されるように制御装置４５そして特にデータ受信装置４９はアンテナ４１とそれに関連するＲＦ受信機４６とを制御するように動作し、これは変調されたデータをセルラ電話機２１のオープンされたスピーカ４０並びにマイクロフォン４２経由で受信する。受信された変調データは典型的にはモデム信号呼びだし、例えばアナログ式セルラ無線システムに於けるデュアル音調多元周波数（”ＤＴＭＦ”）信号呼び出し技術に基づいてオープンされた音声チャンネル経由で伝送される。
第２Ｂ図に示すように、本発明のディジタル式セルラ電話機２１のデータ受信装置４９はまた、モデム４８及び音声符号化器４３を制御するように動作する。当業者には知られているように、音声符号化器４３はディジタル式セルラネットワークの音声チャンネル経由で、それぞれ伝送並びに受信された信号を符号化及び復号化するように動作する。
次に復調装置５０は変調されたデータをデータ受信装置４９から受信し、そのデータをセルラ電話機２１のスピーカ４０並びにマイクロフォン４２をオープンすることなく、復調または処理する。第２Ａ図に示すようにアナログ式セルラ電話機２１の復調装置５０は典型的にモデム４８を制御し、これはオープンされた音声チャンネルを経由して予め定められたフォーマット並びに伝送速度でデータの受信並びに送信を行う。
従ってセルラ電話機２１は発信元電話機の音声チャンネルをスピーカ４０並びにマイクロフォン４２をオープンすることなく、また発信元電話機とセルラ電話機との間に音声通信を設立することなく開設する。従ってデータはオープンされた音声チャンネルを経由して発信元電話機とセルラ電話機２１との間で伝送される。
本発明のセルラ電話機２１で支援されているこのオープンされた音声チャンネル経由のこのデータ伝送は、従来発信元電話機とその発信元電話機が通信要求を行っているセルラ電話機との間で実行されているハンドシェイク処理手順とは区別される。先に説明したように、ハンドシェイク処理手順は予め定められた過程であって、なかんずく発信元電話機がセルラ電話機を活性化させる決定を行うための音声チャンネルの設立に先立って発生するものである。これと比較して、発信元電話機と本発明のセルラ電話機２１との間にオープンされた音声チャンネル経由で伝送されるデータは、たとえスピーカ４０並びにマイクロフォン４２がオープンされていなくて、音声通信が発信元電話機とセルラ電話機２１との間で防止されていたとしても、音声チャンネルがオープンされた後で伝送される。
本発明に基づけば、セルラ電話機２１の遅延スピーカ並びにマイクロフォン接続装置４４はまた、音声通信設立装置５１を含み、これは復調装置５０に応答してセルラ電話機のスピーカ４０及びマイクロフォン４２をオープンし、セルラ電話機と発信元電話機との間の音声通信を設立する。しかしながら、音声通信設立装置５１は唯単にセルラ電話機２１のスピーカ４０並びにマイクロフォン４２を、セルラ電話機の使用者からの予め定められた信号を受信したときにオープンするだけである、この手順は以下に説明する。
第３図に図示するように、本発明のセルラ電話機２１の遅延スピーカ並びにマイクロフォン接続装置４４はまた変調されたデータを処理するためのデータ処理装置５３をも含む。特に、データ処理装置５３は好適に発信元電話機が音声通信をセルラ電話機２１との間で要求したか否かの判定を行う。例えば、発信元電話機の使用者がセルラ電話機２１の使用者に対して電話呼を行う場合がある。
本発明のセルラ電話機２１の制御装置４５はまた警報装置６７をも含み、これはデータ処理装置５３に応答してセルラ電話機の使用者に対して発信元電話機がセルラ電話機との間に音声通信を要求していることを通知する。この通知は典型的にはセルラ電話機２１から発せられる警報またはその他の可聴信号であり、これもまた発信元電話機との間の音声通信を設立することなく提供される。
第２Ａ図及び第２Ｂ図に図式的に示すように、セルラ電話機２１はまた可視表示装置５２の様な表示装置を含み、これは復調装置で処理されたデータに基づいて情報を表示する。例えば発信元電話機からセルラ電話機２１へ伝送された変調データは発信元電話機の識別子、例えば発信元電話機に割り当てられた電話番号または発信元電話機に関連する名前を含んでいる。従って、発信元電話機の識別子は復調装置で処理された後セルラ電話機２１の使用者に対して表示される。
従って、発信元電話機からの通信要求に応答して発せられた警報信号を聞いて、本発明のセルラ電話機２１の使用者はその表示を見て発信元電話機の識別子を確認する。この発信元電話機の識別子に基づいて、セルラ電話機２１の使用者は以下に説明するように、選択的にその通信要求に返答したり、無視したりまたは転送するといった判断が可能である。しかしながら、スピーカ４０及びマイクロフォン４２がオープンされまた音声通信が発信元電話機との間で設立されるのは、セルラ電話機２１の使用者が予め定められた信号、例えばセルラ電話機のアルファベット数値キーパッド５４上の”返答”または”送信”ボタンを押した場合のみである。
セルラ電話機２１の制御装置４５はまたセルラ電話機に対してその他の機能も提供し、これにはメモリ素子との間のデータ転送が含まれる。第２Ａ図及び第２Ｂ図に示されるように、本発明のセルラ電話機２１の制御装置４５はまた、音声通信ルーティング装置５５を含み、これは復調装置５０に応答し、オープンされた音声チャンネルを経由してセルラ電話機の使用者が発信元電話機の通信要求を転送したいと欲する別の端末へ、信号を転送する。
次に代わりの音声チャンネルが発信元電話機と要求を受けたセルラ電話機の使用者が選択した端末との間に設立される。例えば、特徴ノード３４が関連づけられているセルラ無線通信システムでは、この特徴ノードが最初発信元電話機からの通信要求を受信する。次に特徴ノード３４はその要求によって要求されているセルラ電話機２１を認知し発信元電話機の識別子または発信元電話機の使用者名をそれらが提供されている場合は、要求を受けたセルラ電話機に対して本発明に基づいて伝送する。もしもセルラ電話機の使用者がその要求を別の端末に転送したいと指示した場合は、その特徴ノード３４は通信リンクまたは音声チャンネルを別の端末との間で設立して、発信元電話機がその別の端末と通信が行えるようにする。
従って、通信要求に返答する代わりにセルラ電話機２１の使用者はその要求をセルラ電話機のスピーカ４０及びマイクロフォン４２をオープンすることなく、また発信元電話機との間に音声通信を設立することなく、転送することが可能である。発信元電話機の識別子または発信元電話機の使用者名が提供され、セルラ電話機２１で表示される場合には、セルラ電話機の使用者は表示された識別子を見て、その発信元電話機の識別子に基づいて代わりの音声チャンネルを選択することが可能である。
例えば、セルラ電話機２１の使用者はひとつの番号を提供し、それは例えば電話番号のようなものであって、そのセルラ電話機の使用者がその通信要求を転送したい先の別の端末を示すものである。その他の端末とは例えばセルラ電話機または陸上線電話機の様な別の電話機のみでは無く、返答機械の様な自動返答装置または音声メールシステム等も含む。
セルラ電話機２１の使用者はその他の端末の番号を、警報信号と表示された発信元電話機の識別子とに応答して、例えばセルラ電話機のアルファベット数値キーパッド５４経由で入力する。その他の端末の番号は続いて、オープンされた音声チャンネルを経由してセルラ無線ネットワークに伝送され、これは代わりの音声チャンネルを発信元電話機とその他の端末との間で設立している。
これとは別にセルラ電話機２１の使用者がその通信要求を転送したいと望んでいるその他の端末の番号が、セルラ電話機の使用者によって事前に入力されていてセルラ電話機のメモリ素子５６の中、または特徴ノード３４に関連づけられているメモリの中の様にセルラ無線ネットワークに格納されていても良い。格納されている番号は、例えばセルラ電話機２１の使用者の秘書や同僚の様にそのような転送通信に応答するように準備されている人々に割り当てられている電話番号に相当する。
従って本発明に基づくセルラ電話機２１の使用者は、予め定められた信号、例えば予め定められたボタンを押すか、またはキーパッド５４経由で予め定められた数値順序を入力することによって、警報信号に応答して通信要求をその他の予め定められた端末にルーティングすることが出来る。その他の端末の番号がセルラ電話機２１無いのメモリ素子５６の中に格納されている場合は、セルラ電話機の使用者から予め定められた信号が入力されるた時点で、その格納されている番号がオープンされた音声チャンネル経由で伝送される。これとは別にその他の端末の番号がセルラ無線ネットワーク、例えばセルラ無線ネットワークの特徴ノード３４に格納されている場合は、セルラ電話機の使用者によって入力される予め定められた信号は一般的にオープンされた音声チャンネルを経由してセルラ無線ネットワーク、そして時にセルラ無線ネットワークの特徴ノード３４の伝送され、次にこれは代わりの音声チャンネルを設立する。従って特徴ノード３４を含むセルラ無線ネットワークに関しては、その特徴ノードがセルラ電話機２１の使用者によって提供された信号に基づいて代わりの音声チャンネルを設立する。
更に、使用者のオプションを通信要求通知に基づいてメニュー選択とすることも可能である。従って使用者は表示されたメニューから適切な入力を選択してその要求を転送するように、その要求に応答することが可能である。
加えて、通信要求が待機中であるとの警報に際して、セルラ電話機２１の使用者は発信元電話機の使用者に対して返答したり、無視したり要求の転送を行う代わりに、メッセージを送信することも可能である。例えば、セルラ電話機２１の使用者は警報信号を聞いた場合に、例えばキーパッド４８を介して送信されるべきメッセージを入力することが出来る。これとは別に、第２Ａ図及び第２Ｂ図に示すように本発明のセルラ電話機２１が素子５７を含み、これは典型的に音声チップと呼ばれるものであって、予め録音されているメッセージをオープンされた音声チャンネルを経由して発信元電話機に送信するためのものであり、これはセルラ電話機の使用者からのそのセルラ電話機の使用者が通信要求を一度待機状態とする場合の、予め定められた信号に応答して行なわれる。
場合によっては、発信元電話機の使用者がセルラ電話機２１との音声通信の設立は希望しないが、代わりにセルラ電話機にデータを送信したい時がある。例えば発信元電話機の使用者が、典型的にはページング装置経由で送られる様な比較的短いメッセージをセルラ電話機２１の使用者に送りたいと望む場合である。これらの場合、データまたはメッセージはオープンされた音声チャンネルを経由してセルラ電話機２１に送られ、これがそのデータを受信し復調する。例えばメッセージのような情報が復調されたデータから導かれ、続いてセルラ電話機２１の使用者に表示装置５２を介して表示される。
発信元電話機がセルラ電話機に対してそれとの間で音声通信を要求することなくデータを送信する場合は、本発明のセルラ電話機２１の制御装置４５は好適に発信元電話機からの予め定められた信号を受信した際に音声チャンネルを終了させるための装置５９を含む。従って発信元電話機とセルラ電話機２１との間にオープンされた音声チャンネルを経由してのデータ伝送が完了すると、発信元電話機はデータ伝送が完了したことを表す予め定められた信号を送信する。その後その音声チャンネルは閉じられる。第２Ａ図及び第２Ｂ図に示すように、音声チャンネル終了装置５９は受信機４６及びアンテナ４１、同様にアナログ式セルラ電話機のモデム４８を制御して音声チャンネルを閉じるように動作する。
第２Ａ図及び第２Ｂ図のブロック６１に図示するように、セルラ電話機２１の制御装置４５は種々のその他の機能をセルラ電話機２１に提供する。例えば、制御装置４５は関連するメモリ素子５６との間のデータの流れを制御する。この制御装置はまた第２Ａ図及び第２Ｂ図に示すように、表示装置５２、キーパッド５４、スピーカ４０並びにマイクロフォン４２とのインタフェースを提供する。
本発明のセルラ電話機２１は種々の型式の発信元電話機との通信に適合する。従ってセルラ電話機２１は、識別データ信号をオープンされた音声チャンネル経由で提供するように適合されている発信元電話機またはこのようなデータ信号を特徴ノード３４経由でセルラ電話機に通信可能な様に接続された発信元電話機のみならず、データ信号を提供するようには適合されておらず、また特徴ノード経由でセルラ電話機と通信可能なように接続されてもいない発信元電話機とも通信するように適合されている。例えば、発信元電話機は呼のような信号を伝送するのに適合していない陸上線電話機であってもかまわない。
従ってセルラ電話機２１の制御装置４５は復調装置５０に関連づけられたタイマの様なタイマ装置５８を含み、これはセルラ電話機が発信元電話機から音声チャンネルの開設後予め定められた時間内にデータを受信したか否かの判定を行う。時限はセルラ電話機２１の使用者またはセルラ無線ネットワークの設計者によって希望する値に設定される。しかしながらこの時限は典型的に２秒から４秒の間である。タイマ５８はセルラ電話機２１の実施例の制御装置４５の中に含まれているが、このタイマは本発明の精神並びに範囲から逸脱することなくセルラ電話機とは別の構成部品とすることも可能である。
本発明のセルラ電話機２１の制御装置４５はまた装置６３をも含み、これはタイマ装置５８に応答して予め定められた時間内にデータ信号、例えば発信元電話機識別データを提供するように発信元電話機に促す。予め定められた時間内にデータが受信されないと、タイマ装置５８はまた警報装置６７に対してプロンプトを送り、発信元電話機がセルラ電話機２１に対して音声通信を要求している旨を通知させる。しかしながら、セルラ電話機２１の使用者には発信元電話機の識別子または発信元電話機からのその他のデータは提供されない。
本発明のセルラ電話機２１はアナログ式並びにディジタル式セルラ無線ネットワークの両方と通信するように適合されている。ディジタル式セルラ無線ネットワークと通信するように適合された、本発明に基づくセルラ電話機２１に関してはセルラ電話機の制御装置４５はまたディジタル制御チャンネル設立位置６５をも含み、これはセルラ電話機とディジタル式セルラ無線ネットワークとの間にディジタル制御チャンネルを開設する。
従って本発明のひとつの実施例に於いて、音声チャンネルとディジタル制御チャンネルの両方が、セルラ電話機２１のスピーカ４０及びマイクロフォン４２をオープンすることなく、またセルラ電話機と発信元電話機との間の音声通信を設立することなく開設される。この実施例に於いて、ディジタル制御チャンネルは開設されるが、本発明のセルラ電話機２１は変調データの送受信を先に説明した予め定められたモデム信号呼び出し技術に従ってオープンされた音声チャンネル経由で行う。
本発明の別の実施例ではディジタル制御チャンネルのみがセルラ電話機と発信元電話機との間に開設され、データの送受信を先に説明した予め定められた信号呼び出し技術に従って行う。しかしながら、この実施例ではスピーカ４０並びにマイクロフォン４２はオープンされず、また音声通信はセルラ電話機の使用者が予め定められた信号を提供するまで設立されない。一度その予め定められた信号が提供されると、セルラ電話機と発信元電話機との間の音声チャンネル、スピーカ４０及びマイクロフォン４２がオープンされ、また音声通信が設立される。
セルラ無線通信システム２０の各々のセルラ電話機２１が音声チャンネル設立装置４７、遅延スピーカ並びにマイクロフォン接続装置４４、ディジタル制御チャンネル設立装置６５並びに通信ルーティング装置５５の特徴を含むこともまたはそれらに接続されている必要もないが、それはこの様な特徴を含んだりまたはそれらに接続されているセルラ電話機２１の使用者は一般的にそれらの特徴に対して追加費用を払う必要があるからである。その代わりにセルラ無線通信システム２０は、予め定められた個数のセルラ電話機２１のみがこれらの特徴を有したりまたは利用するように構成することが可能である。従ってデータまたはメッセージを音声通信を設立することなく受信したいと欲する使用者、または通信要求を行っている発信元電話機の識別子を返答を行ったり転送を行う前に、事前に知りたいと希望する使用者がこれらの特徴を利用し、従って費用を払うように選択することが可能である。
加えてこれらの特徴を選択したセルラ電話機２１の使用者は、例えばもしもこの使用者がその特徴を頻繁に利用しない場合はこれらの特徴を後で取り外すことが可能である。これとは別に、最初これらの特徴を選択しなかったセルラ電話機の使用者が後からこれらの特徴を希望に応じて選択または追加する事が可能である。
説明したように、発信元電話機が最初セルラ電話機２１との通信要求を行う。その要求は一般的にセルラ無線通信システム２０を経由してルーティングされ、これは必ずしも必要というわけでは無いが特徴ノード３４を含む。加えて発信元電話機は、これも必ずしも必要というわけではないが先に説明したように、オープンされた音声チャンネル経由でのデータ伝送をサポートする。
第４図のブロック６０に図示されるように、これは本発明のセルラ電話機２１の動作のひとつの実施例を図示しており、発信元電話機とセルラ電話機は最初セルラ無線ネットワーク経由で、従来式ハンドシェイク処理手順に基づいて信号を交換し、発信元電話機はセルラ電話機が活性化され利用可能であるかの判定を行う。もしもセルラ電話機２１が活性化されていない場合、既に使用中の場合またはその他の理由で利用できない場合、予め定められた応答、すなわち話し中信号または予め定められたメッセージ、例えば”要求を受けた電話機は一時的に利用できません”、がブロック６２に示すように発信元電話機に送信される。その後ブロック６４に図示するように音声チャンネルが閉じられる。
これとは別に、発信元電話機からの通信要求を自動応答装置に転送して、予め録音されているメッセージを送信し発信元電話機使用者の全ての応答を録音するようにすることも可能である。ひとつの実施例に於いて、セルラ無線通信システムの特徴ノード３４は、その要求をセルラ電話機２１の使用者によって予め指定されている自動応答装置に転送またはルーティングする。その後活性化されるかまたは利用可能となると、セルラ電話機２１は警報信号を発生するかそして／またはメッセージを表示し、メッセージが記録されているセルラ電話機の使用者の都合の良いときに記録されたメッセージへのアクセスが待たれていることを示す。
もしもセルラ電話機２１が活性状態で利用可能であると、音声チャンネルがセルラ電話機と発信元電話機との間にスピーカ４０及びマイクロフォン４２をオープンすることなく、ブロック６６に示すように開設される。信号送信用にオープンされた音声チャンネルを以下に説明するが、ディジタル制御チャンネルもこれに加えて、または音声チャンネルの代わりに、ディジタル式セルラ無線通信ネットワークに接続されたセルラ電話機では開設され、これは先に説明したようにセルラ電話機２１のスピーカ４０及びマイクロフォン４２をオープンすることなく行われる。
音声チャンネルが発信元電話機とセルラ電話機との間に従来の方式で開設または設立されるが、この方法は当業者には良く知られているのでここではより詳しくは説明しない。しかしながら従来の音声チャンネルオープン方法との明確な相違は、従来方式はセルラ電話機のスピーカ及びマイクロフォンが自動的にオープンされるが、本発明のセルラ電話機２１のスピーカ４０及びマイクロフォン４２は音声チャンネルがオープンされた時点ではオープンされない。従って音声通信は発信元電話機とセルラ電話機２１との間で防止される。
ブロック６８並びに７０に図示されるように、タイマ５８が続いて開始されセルラ電話機２１はオープンされた音声チャンネルを監視し、発信元電話機からデータが受信された否かを判断する。もしもデータが受信されずかつタイマの時限が経過すると、タイマ５８はリセットされセルラ電話機２１には、例えばデータ信号を送信するようには適合されていない陸上線電話機からの通信要求が待機中で有る旨の警報が、ブロック７２、７４および７６に示されるように発せられる。
もしも時限が経過していないが、データも受信されて居ない場合、セルラ電話機２１は発信元電話機に対して発信元電話機の識別子の様なデータを提供する様にプロンプトを送る、これはブロック７８に示すとおりである。次にセルラ電話機２１はオープンされた音声チャンネルの監視を継続し、発信元電話機からデータが受信されたか否かの判断を行う。もしもデータが発信元電話機から受信されると、タイマ５８はリセットされそのデータが復調され処理される、これはブロック８０および８２に図示されるとおりである。処理されたデータに基づいて、セルラ電話機２１はブロック８４に示すように発信元電話機がセルラ電話機との間の音声通信を要求したか否かの判断を行う。
もしも発信元電話機がセルラ電話機２１との音声通信要求は行っていないが、代わりに例えばメッセージの様なデータをセルラ電話機に送信している場合は、セルラ電話機はそのメッセージを例えば可視表示装置５２経由で表示し、それぞれブロック８６及び８８で示すように音声チャンネルを閉じる。従って、本発明のセルラ電話機２１はセルラページング装置の機能を実行する。
もしも発信元電話機がセルラ電話機２１との音声通信を要求し、かつそれ自身の識別を行っている場合は、発信元電話機のその識別子が表示されセルラ電話機にはそれぞれブロック９０及び９２に図示されるように警報が発せられる。もしもセルラ電話機２１の使用者がその警報に応じてセルラ電話機に返答する場合は、セルラ電話機のスピーカ４０及びマイクロフォン４２がオープンされかつ音声チャンネルがオープンされた音声チャンネル経由で、ブロック９４及び９６に示すようにセルラ電話機と発信元電話機との間に設立される。
これとは別に、もしもセルラ電話機２１の使用者がその警報に応答しない場合は、セルラ電話機は使用者がその要求を転送したかの判断をブロック９８に図示するように行う。先に説明したように使用者は発信元電話機との間に設立されるべき代わりの音声チャンネルを示す信号を提供する。もしもセルラ電話機２１の使用者が要求を転送する場合は、発信元電話機との間に設立されるべき代わりの音声チャンネルを示す信号がその音声チャンネルを経由して送信され、続いてそれぞれブロック１００及び１０２に示されるようにその音声チャンネルが閉じられる。もしもセルラ電話機２１の使用者がその要求を転送せず、また予め定められた時間内にその警報に返答していない場合は、メッセージ、例えば”呼びだし相手が応答しません”が発信元電話機に音声チャンネルを経由して、ブロック１０４に図示するように送信される。これとは別に、その要求を音声メールシステムの様な自動応答装置に自動的に転送することも可能である。その後通常は発信元電話機の使用者は一定時間後に通信要求を終了する、すなわち発信元電話機の受話器を架け戻して発信元電話機を切り、そしてブロック１０６に示すように音声チャンネルは閉じられる。
従って本発明に基づけば、音声チャンネルがセルラ電話機２１と発信元電話機との間に、セルラ電話機のスピーカ４０及びマイクロフォン４２をオープンすることなく開設される。従ってたとえ音声チャンネルはオープンされていたとしても音声通信はセルラ電話機２１と発信元電話機との間で防止され、発信元電話機とセルラ電話機との間のデータ送信はサポートされる。オープンされた音声チャンネル経由のデータ送信は音声通信要求のみならず、発信元電話機の識別子またはメッセージの様なデータをも含む。
もしも発信元電話機の識別子が提供される場合は、セルラ電話機２１の使用者は返答するか、無視するかまたはその通信要求を転送するかを表示された発信元電話機の識別子に基づいて、発信元電話機との間に音声通信を設立することなく、選択的に決定できる。従って、セルラ電話機２１の使用者は入力される通信要求、例えば電話呼を盲目的に受領したりまたは無視する必要が無く、その代わりにこれらの入力される要求を選択的に受領したりまたはルーティングして、その使用者が選択した入力要求のみに応答することが可能である。従ってセルラ電話機２１の使用者が行っているその他の活動、例えば運転または他の人との会話はわずかの中断で継続される、何故なら使用者は比較的高い優先順位を有する要求のみを選択して応答できるからである。
更に、もしもメッセージがオープンされた音声チャンネル経由で提供される場合は、セルラ電話機２１はそのメッセージをその使用者に対して、スピーカ４０及びマイクロフォン４２をオープンすることなく表示できる。従って、セルラ電話機２１はセルラページング装置として効果的に機能できる。
添付図及び仕様の中で本発明の提出された実施例が提示されており、特定の用語が採用されているが、それらの用語は一般的かつ説明の目的でのみ使用されており、添付の請求項に記載されている本発明の範囲を制約することを目的とするものでは無い。
【図１】
0003834587.tif 000002
【図２Ａ】
0003834587.tif 000003
【図２Ｂ】
0003834587.tif 000004
【図３】
0003834587.tif 000005
【図４】
0003834587.tif 000006